Podtech/llm-jp-corpus-v4-ja_patent huggingface dataset:
(57)【要約】【課題】  大量の放射性物質を密閉してハンドリングする必要がある原子力発電所や使用済み核燃料保管施設などに対して、網羅性、速報性が高くて、かつローコストな放射能漏洩モニタリング方法を提供する。【解決手段】  放射線により励起され蛍光を発する蛍光物質を、対象物表面に事前に塗装しておくことにより、放射能漏洩が発生したとき、漏洩個所の塗膜の蛍光物質が励起され蛍光を発するので、暗闇の環境下で、それを目視やビデオカメラ、視覚センサー等でモニターする。【特許請求の範囲】
【請求項１】
放射線により励起され蛍光を発する蛍光物質を、対象物表面に事前に塗装しておき、放射能漏洩により塗膜の蛍光物質が励起されて発した蛍光を、目視、ビデオカメラ、または視覚センサーでモニターすること、を特徴とする放射能漏洩モニタリング方法。
【請求項２】
放射能漏洩により塗膜の蛍光物質が励起されて発した蛍光を、暗闇の環境下でモニターすること、を特徴とする請求項１記載の放射能漏洩モニタリング方法。
【発明の詳細な説明】
【技術分野】
【０００１】  本発明は放射能漏洩のモニタリングに関する。詳しくは原子力発電所サイトの各種設備から、気体や液体に含まれて漏洩した一定レベル以上の放射能をモニターする方法に関する。
【背景技術】
【０００２】  放射能の漏洩個所を検知するには、電離箱を検出器とし、γｘ線およびβ線の強弱に比例した電離電流を自動レンジ方式で線量当量率に変換してデジタル表示する携帯用測定器などを用いる。これは漏洩が疑われる場所に測定器を近づけていき、線量を測定して漏洩個所を特定する遣り方には役立つ。
【発明の概要】
【発明が解決しようとする課題】
【０００３】  通常の放射能漏洩の場合にはこれで十分に用が足りる。しかし、フクシマのメルトダウン事故においては、大量の放射性物質が瓦礫となってサイトに散乱しているとともに、高濃度の放射能を含んだ汚染水が数１００のタンクに貯蔵されているという状況にある。このような処において、放射能漏洩を早期にかつ漏らすことなく、携帯用測定器を使用してモニターしていくことは実質的に不可能である。
【課題を解決するための手段】
【０００４】  本発明者は鋭意検討の結果、上記のような場合においては、何よりもまず或る個所から放射能漏洩が発生したということを早期に検知するために、面として遠隔監視でモニターできる仕組みが必要であることに思い到った。その結果、放射線により励起され蛍光を発する蛍光物質を、対象物表面に事前に塗装しておくことにより、放射能が漏洩したとき、その個所の塗膜の蛍光物質が励起され蛍光を発するので、暗闇の環境下でその蛍光を観測することにより、放射能漏洩を容易に検知できることに思い至り、本発明方法に到達したものである。【０００５】  広義の蛍光は、電磁波（主にγ線、Ｘ線、紫外線、可視光線）が照射されてそのエネルギーを吸収することで電子が励起し、それが基底状態に戻る際に余分なエネルギーを電磁波として放出する現象である。狭義には広義の蛍光のうち、励起のための電磁波を止めると発光が消滅する発光寿命が短いものを指すが、この場合は発光寿命が長い燐光（蓄光）も含める。本発明方法においては放射線（放射性元素の崩壊に伴い放出される粒子線あるいは電磁波、主にα線、β線、γ線、Ｘ線、中性子線）に励起されるものであれば何れの蛍光物質であってもよい。好ましくは全ての放射線で蛍光を発するように各種の蛍光物質を混合して用いるのがよい。【０００６】  上記蛍光物質は樹脂に分散されて塗料化され、スプレーや刷毛塗りによりタンクの金属板接合面、パイプの接続部、床面など、放射能漏洩の可能性があるサイト内の全ての個所に塗装される。これらの塗装個所、塗装面積は膨大になるが、一旦これを実施しておけば、塗膜が有効な期間、腐食、シール劣化、接合不良、強度不足などによる放射能漏洩を容易に検知することが可能となる。その原理は以下の通りである。漏洩した放射性物質より出る放射線は塗膜の蛍光物質を励起し蛍光を発する。蛍光物質は紫外線でも発光するので、現場が昼間や点灯環境ではそれによる蛍光と一体化し判然としない。曇天で紫外線が少ないときには、励起されて発した蛍光のみになるので判別は可能となるが、その差は鮮明ではない。しかし、夜間もしくは消灯により現場が薄暗くなったとき、放射線により励起された塗膜だけが依然として強い蛍光を発し続けるので、抜群の注目度で判別可能となる。また蓄光性で残光がある蛍光物質であっても、残光は急速に減少していくので、それ以降であれば判別の障害とはならない。すなわち、放射能漏洩が発生しても、時間帯によれば即座には検知できないが、少なくとも暗闇が訪れる半日以内には明確に検知が可能となる。また放射能で一度汚染した塗膜はそのままずっと蛍光を発し続けるので、漏洩した放射能をトレースするうえでも役に立つ。【０００７】  本発明方法によれば漏洩した放射能レベルを測定することはできないが、閾値以上の放射能漏洩が発生したという、事故の第一報を通報できるところに大きな役割がある。しかも、個別、局所的運用ではなく、遠隔地よりの目視やビデオカメラ、視覚センサー等による観測で、大面積のサイトや建物内を面としてモニターできるところに大きな特徴がある。何故なら、粒子線の場合エネルギーに依存するが、α線は数ｃｍ、β線は１０ｍ程度以内と到達距離が短く、遠隔地から放射能漏洩をモニターする���とは難しいが、本発明方法によれば漏洩個所の塗膜が蛍光を発して可視化されるので、それを遠隔地から観測することが可能となるからである。なおこの場合、サイトや建物内の一時的消灯と組み合わせると効果的である。本発明方法はフクシマのような特別なサイトだけではなく、正常運転中の原子炉建屋やタービン建屋、核燃料貯蔵プールなどに適用しても有用性があることは明らかである。なお閾値は使用する蛍光物質の対放射線感度と輝度特性に基いて、塗料の蛍光物質含有率を調整して適宜設定すればよい。
【発明の効果】
【０００８】  本発明により巨大な核関連施設サイトにおいて、網羅性、速報性が高くて、かつローコストな放射能漏洩モニタリングが可能となる。
【発明を実施するための形態】
【０００９】  本発明方法自体は極めてシンプルであり、その原理的な実施態様をフクシマのケースについて示す。
【実施例１】
【００１０】  汚染水タンクの金属板接合面やパイプの接続部、床面を、放射線により励起されて蛍光を発する蛍光物質を含んだ塗料でスプレー塗装する。その後、夜間に蛍光を発する個所を目視やビデオカメラ、視覚センサー等によりモニターする。
【産業上の利用可能性】
【００１１】  大量の放射性物質を密閉してハンドリングする必要がある原子力発電所や使用済み核燃料保管施設などにおいて、ビデオカメラや視覚センサー等と組み合わせて、網羅的で速報性の高いローコストな放射能漏洩モニタリングが実現する。
(57)【要約】【課題】従来のワイシャツは襟付き一体成形であり襟が汚れた場合には、ワイシャツその物を翌日には交換し、またはクリーニング等の対応をする。この煩わしさを軽減する。【解決手段】本発明の付け替え襟ワイシャツ図１は、図３の付け替え襟シャツ本体８と図２の付け替え襟１で整合され一体となるものである。図３付け替え襟シャツ本体８の襟もと部位９にボタン孔１０を配設し、付け替え襟１の座ヒダ３のボタン５を整合固定する。【選択図】図１
2015078475.tif 000002
【特許請求の範囲】
【請求項１】
取付け取外しする付け替え襟ワイシャツを形成する形態の付け替え襟は、代替襟と取り替えできる付け替え襟ワイシャツに於いて、前記付け替え襟ワイシャツは、付け替え襟をボタンによる整合を特徴とする付け替え襟ワイシャツ。
【請求項２】
前記付け替え襟ワイシャツは、代替襟をペア付随仕様とすることを特徴とする請求項１に記載。
【請求項３】
首回りサイズに伸縮機能を有することを特徴とする請求項１または２に記載。
【請求項４】
ボタンによる整合をファスナー機構に代替することを特徴とする請求項１に記載。
【発明の詳細な説明】
【技術分野】
【０００１】  本発明は、ワイシャツ襟の取り付け取り外しの付け替えの手段に関するものである。
【背景技術】
【０００２】  従来のワイシャツは、１日着用すると襟が汚れてワイシャツその物をクリーニング等で対応している。更に、数日の出張の際は、数枚の着替え用ワイシャツを持参する必要があるという問題があった。
【発明の開示】
【発明が解決しようとする課題】
【０００３】  従来のワイシャツ図示なしは、襟付きの一体成型であり襟の汚れは、特に夏季に於いて頻繁にクリーニング等で対応しているので、頻度によって襟上端部が擦り切れる。また、首回りが窮屈を感じるという不利な点がある
【課題を解決するための手段】
【０００４】  上記目的を達成するために、本発明は、このような状況を鑑みてなされたもので、付け替え襟をボタン機構による整合とする。更に、代替襟をペア付随仕様とする。首回りサイズに伸縮機能を有し、ボタン機構による整合をファスナー機構に代替すること等で上記課題を解消した、斬新性のあるワイシャツを提供することを目的とする。
【発明の効果】
【０００５】  以上説明したように、付け替え襟ワイシャツは、付け替え襟を取り付けるため、付け替え襟シャツ本体の襟元部位に数個のボタン孔を併設し、付け替え襟・代替襟の座ヒダに数個のボタンを取り付けて同襟元部位のボタン孔に同ボタンを介して整合することによって付け襟を簡便に、かつ清潔な襟を、維持着用することを特徴とする。
【発明をするための最良の形態】
【０００６】  本発明の付け替え襟ワイシャツ図１は、図３に示す付け替え襟シャツ本体８に付け替え襟１図２を取り付ける。同付け替え襟シャツ本体の襟元部位に数個のボタン用孔１０を併設し、図２同座ヒダ３の同ボタン５を介して固定する。同付け替え襟シャツ本体８側のボタン用孔１０の個数と同付け替え襟１の同座ヒダ３に併設した同ボタン５は同数で等間隔に取り付ける。
【実施例】
【０００７】  本発明の図３は、付け替え襟シャツ本体８の要部平面図で、付け替え襟１図２を取り付け取り外し出来るように数個のボタン用孔１０を配設する。また、襟芯のボタン用孔図２同６は首回りの窮屈感を解消する。図２の付け替え襟１の同襟元部位９に座ヒダ３を併設し、この同座ヒダ３に数個のボタン５を取り付け用孔１０に整合する。図２の同座ヒダ３に切欠き４を配設したのは、洗濯後のアイロン掛けに平坦で有った方が容易であること等。【０００８】  本発明の付け替え襟図２は、襟芯ボタン用孔６を横一に拡大加工する事によって首回りの窮屈感を解消する。【０００９】  本発明は、付け替え用のボタン機能をファスナーに代替する事も有効である。
【図面の簡単な説明】
【００１０】
【図１】  本発明の付け替え襟と付け替え襟シャツ本体の整合要部断面図（Ａ−ＡとＢ−Ｂの断面図）
【図２】  図１の付け替え襟の要部平面図（平坦図）・整合面
【図３】  図１の付け替え襟シャツ本体の要部平面図・表側
【符号の説明】
【００１１】１    付け替え襟・代替襟
２    襟芯
３  座ヒダ
４    切欠き
５    ボタン
６    襟芯ボタン用孔
７    襟芯用ボタン
８    付け替え襟シャツ本体
９    襟元部位
１０  ボタン孔
１１  襟
１２  ボタン孔
【図１】
2015078475.tif 000003
【図２】
2015078475.tif 000004
【図３】
2015078475.tif 000005
【手続補正書】
【提出日】平成26年5月14日(2014.5.14)
【手続補正１】
【補正対象書類名】特許請求の範囲
【補正対象項目名】全文
【補正方法】変更
【補正の内容】
【特許請求の範囲】
【請求項１】
取付け取外しする付け替え襟ワイシャツを形成する形態の付け替え襟は、代替襟と取り替えできる付け替えワイシャツに於いて、前記付け替え襟ワイシャツは、付け替え襟をボタンによる整合を特徴とする付け替え襟ワイシャツ。
【請求項２】
前記付け替え襟ワイシャツは、代替襟をペア付随仕様とすることを特徴とする請求項１に記載の付け替え襟ワイシャツ。
【請求項３】
首回りサイズに伸縮機能を有することを特徴とする請求１または請求項２に記載の付け替え襟ワイシャツ。
(57)【要約】【課題】  地上部分の地崩れが生じない堅牢性を具備した新規の「液体貯蔵用タンク」の提供を図ったものである。【解決手段】  地表からの掘削空所と当該掘削空所の上方空間に掛けて、消波機能と貯水機能を有するブロック組立体を、少なくともその地上部分の外観的形状が階段状となるような形態で構築すると共に、当該ブロック組立体全体を遮水材で気密を保って包み込み、当該遮水材の地上部分の外面全体に対し、その階段状外観的形状に沿った階段状の盛り土を施すと共に、当該盛り土内にも、補強用遮水材をブロック組立体の階段状外観に沿った形態で埋設するように構成した液体貯蔵用タンク。【選択図】図１
2015078014.tif 000002
【特許請求の範囲】
【請求項１】
地表からの掘削空所とその上方空間に掛けて、消波機能と貯水機能を有するブロック組立体を、少なくともその地上部分の外観的形状が階段状となるような形態で構築すると共に、当該ブロック組立体全体を遮水材で気密を保って包み込み、当該遮水材の地上部分の外面全体に対し、その階段状外観的形状に沿った階段状の盛り土を施した液体貯蔵用タンク。
【請求項２】
請求項１記載の液体貯蔵用タンクと共に、当該盛り土内にも、補強用遮水材をブロック組立体の階段状外観に沿った形態で敷設するように構成した液体貯蔵用タンク。
【発明の詳細な説明】
【技術分野】
【０００１】  本発明は、非常用水或いは汚染水を貯蔵しておくための液体貯蔵用タンクに関する。
【背景技術】
【０００２】  従来、液体貯蔵用タンクは、地上に構築するもの（例えば、特許文献１参照。）と、地中に構築するもの（例えば、特許文献２参照。）に大別される。
【先行技術文献】
【特許文献】
【０００３】
【特許文献１】  特開２００６−２９９５０９号公報
【特許文献２】  特開２００２−０７００９０号公報
【発明の概要】
【発明が解決しようとする課題】
【０００４】  従来のように貯蔵タンクを地上または地中に構築するものであるとスペース的に無駄が生じるものである。  しかしながら、地上と地中とを連ねた貯蔵タンクを構築しようとした場合、構築費用が著しく高騰化することを余儀なくされた。【０００５】  本発明は地上と地中とを連ねた貯蔵タンクが極めて容易かつ廉価に構築可能とすると共に、地上部分の地崩れが生じない堅牢性を具備したものとされるようにした新規の「液体貯蔵用タンク」の提供を図ったものである。
【課題を解決するための手段】
【０００６】  本発明は請求項１に記載のように、地表からの掘削空所とその上方空間に掛けて、消波機能と貯水機能を有するブロック組立体を、少なくとも地上部分の外観的形状が階段状となるような形態で構築すると共に、当該ブロック組立体全体を遮水材で気密を保って包み込み、当該遮水材の地上部分の外面全体に対し、その階段状外観的形状に沿った階段状の盛り土を施した液体貯蔵用タンクに係るものである。【０００７】本発明は請求項２に記載のように、地表からの掘削空所とその上方空間に掛けて、地表からの掘削空所とその上方空間に掛けて、消波機能と貯水機能を有するブロック組立体を、少なくとも地上部分の外観的形状が階段状となるような形態で構築すると共に、当該ブロック組立体全体を遮水材で気密を保って包み込み、当該遮水材の地上部分の外面全体に対し、その階段状外観的形状に沿った階段状の盛り土を施すと共に、当該盛り土内にも、補強用遮水材をブロック組立体の階段状外観に沿った形態で埋設するように構成した液体貯蔵用タンクに係るものである。
【発明の効果】
【０００８】  本発明は請求項１に記載のように、すなわち、地表からの掘削空所とその上方空間に掛けて、消波機能と貯水機能を有するブロック組立体を、少なくともその地上部分の外観的形状が階段状となるような形態で構築すると共に、当該ブロック組立体全体を遮水材で気密を保って包み込むことによって、タンクの貯水用部分を構築するように構成したから、その構築費用は鉄材等による建築地手段に比して著しく廉価にして迅速に構築可能とする。【０００９】  更に本発明は請求項１に記載のように、遮水材の地上部分の外面全体に対し、その階段状外観的形状に沿った階段状の盛り土を施し、さらに請求項２記載のように、当該盛り土内にも、補強用遮水材をブロック組立体の階段状外観に沿った形態で埋設するように構成したから、土盛りが崩れてしまうようなことがなく、タンクの堅牢性が確保される。
【図面の簡単な説明】
【００１０】
【図１】  本発明の全体を表した説明用縦断面図である。
【図２】  本発明の要部を表した説明用断面図である。
【図３】  本発明に使用するブロック単体ｍの一例を表した斜視図である。
【図４】  同上ブロック単体ｍを１単位のブロック組立体として組んだ状態を表した正面図である。
【発明を実施するための形態】
【００１１】  図において、Ｍは消波機能と貯水機能を有するブロック組立体であって、貯水タンク構築用たる掘削空所Ａ及び当該掘削空所の上方空間部分にわたって構築してある。
【００１２】  そして、当該ブロック組立体Ｍは少なくともその地上部分の外観的形状が階段状となるような形態で構築してある。  更に、当該ブロック組立体Ｍの全体を遮水材１で気密を保って包み込むことによって、ブロック組立体Ｍの内部全体を貯水用タンクとするように構成してある。  また、当該包み込みはブロック組立体Ｍの外観的形状である階段状となるような密接した形態で包み込んである。
【００１３】  ２は盛り土であって、上記遮水材１の地上部分の外面全体に対し、その階段状外観的形状に沿った階段状に施されている。
【００１４】  更に、上記盛り土２内にも、補強用遮水材３をブロック組立体の階段状外観に沿った形態（等間隔を保った形態）で埋設するように構成してある。
【００１５】  ところで、上述したブロック組立体Ｍであるが、これは例えば、特開２０００−３５２０８０号公報に記載の「ユニット部材」、すなわち、図３及び図４に示すものが用いられる。同図においてｍはブロック単体を示す。
その他、特開２００４−９２３３４号公報に記載の「空間構成物」も利用可能とする。
【００１６】  結局、ブロック組立体Ｍとしては、消波機能と貯水機能を有するものであれば、如何なる形態のものであっても可とする。
【００１７】  また、ブロック組立体Ｍ内に通じる吸水用及び排水用の配管が成されているが、図面においては省略してある。
【符号の説明】
【００１８】  Ｍ  ブロック組立体
Ａ  掘削空所
１  遮水材
２  盛り土
３  補強用遮水材
【図１】
2015078014.tif 000003
【図２】
2015078014.tif 000004
【図３】
2015078014.tif 000005
【図４】
2015078014.tif 000006
(57)【要約】      （修正有）【課題】タンクからの流体の漏れの防止【解決手段】壁及び内部の二重壁と上部板及び下部板に囲まれた空間に弾性体を嵌めて、弾性体の端にアールやテーパー部をつけて、上板と下板及び弾性体に連結した縦穴を開けて、ボールト及びナットを締結して、弾性体の容積を圧縮して、固い硬度の座面や側面に弾性体を板や壁に圧着させて、ネジの隙間や溝に弾性体を圧入してタンク内の流体の流通経路を弾性体が隙間なく埋めて、弾性限界内で外圧に対して弾性体がへたらずに変形して、空間や隙間を弾性体が埋めて、タンクからの流体の漏れを防ぐタンクからの流体の漏れ防止技術のメカニズム。【選択図】なし【特許請求の範囲】
【請求項１】
当該タンクからの流体の漏れ防止技術は、タンク内の流体を取り囲む壁又は板が作る空間に弾性体を壁又は板に圧着させて、タンク内の流体の流通路を遮断し、板や壁の繋ぎ目や隙間から流体の漏れを防止する技術です、タンクの外壁又は板を内部方向に折曲げて、板又は壁の先端で下の槽の板又は壁に懸かる上部の荷重を支える柱を下層の板又は壁上に載せて上部の荷重を支えて、板又は壁の空間に弾性体を嵌めて、板及び壁と弾性体に連続した縦穴を開けて、ボールト及びナットにネジを通して締結し、中に嵌めた弾性体の容積を圧縮して流体を遮断して漏れを防ぎ、同時に、締め過ぎて弾性体の容積の弾性を破損しないように、弾性限界内で弾性体を変形し、材料の繋ぎ目や隙間に弾性体を壁や板に圧着させて空間を弾性体で塞ぎ、上下に膨らんだ弾性体の容積を周囲の固体で圧縮して、併用するネジの側面や底面に弾性体を圧入して、弾性体と個体の接触面を埋めて、弾性体内の流体の流通を阻止して、各階層の繋ぎ目や隙間からの流体の漏れを防止するタンクからの流体の漏れ防止技術のメカニズムです。
【請求項２】
上記項目のタンクからの流体の漏れを防止する技術として、個体に接触する弾性体の角やタンクの隅の弾性体に丸味又はテーパーを付けて、弾性体が押されて変形しても、弾性体が狭い空間に挟まれて過剰の圧力に弾性体がへたらないように、予め弾性体の容積が変形する逃げ場を用意しておいて、それ以上の外力加わっても、容積が固体への圧着度を強めて、弾性体の弾性限度内で容積が変形して、タンク内で弾性体が流体の流通経路を塞いでタンクから流体の漏れを防ぐ流体の漏れ防止技術で、流体が外圧によって変形する為には、弾性体が堅い硬度の固体に反発して弾性体が固体間の隙間に圧着して空間を埋めるのには、高い弾性体の反発力と弾性体が接触する高い硬度の座面や側面に反発して弾性体を圧入することが出来るように強い反発力を惹起する高い硬度の座面や側面の材質を選ぶ必要がある流体のタンクからの漏れ防止技術です。
【請求項３】
当該タンクからの流体の漏れ防止技術は、周囲の板又は壁で、上部荷重を間に嵌めた弾性体の容積が圧縮され過ぎないように支えるか、壁や板を折り曲げて作る空間に弾性体を埋めて壁や板に圧着させて、材料の繋ぎ目や空間からの流体の漏れを防ぐ漏れ防止技術で、適度の締結力で弾性体を圧縮すると同時に、過剰の圧力で弾性体の容積を圧縮し過ぎて、弾性限内を超えて弾性が破綻しないように弾性体が弾性限界内で変形して板や壁からの隙間や空間からの流体の漏れを防ぐ漏れ防止技術として、流体の漏れを防止する為、圧縮力に弾性体が弾性限界を超えて変形しないようにタンク内部の流体の流通経路埋めて遮蔽し、材料の隙間又は繋ぎ目の間から流体が漏れないようにすると同時に、
弾性体を支える板や壁に堅い硬度の座金や側壁で強い弾性体の反発力を惹起させて、壁の隙間やネジの溝に弾性体を圧入させて、流通径路を埋めてタンクからの流体の漏れを防ぐ流体の漏れ防止技術のメカニズムです。
【発明の詳細な説明】
【背景技術】
【０００１】従来の建築物から流体を流出する建築物は、貯蔵する流体を密閉する建築物の個体を積重ねただけの階層の接触面に繋ぎ合わせた弾性体の面が直接に接触する剛体に圧着して剛体と弾性体の間の境目を密閉しているだけの為、上部の液体を含む荷重が貯蔵槽の外壁の強度を上回ると、外壁が部分的に膨らんだり、変形して、剛体と弾性体の間に生まれた空間の容積が変化して、外壁内部の空間の変形により内部に貯蔵さえている液体の外壁からの漏れに繋がる。更に、外部の荷重により弾性体が圧縮されて弾性限界を超えて剛体を圧着するので、新たに生まれた弾性体と剛体の間の空間を弾性体の変形で埋めることが出来ずに流体が漏れを発生させる構造の漏れ防止技術です。
【当該技術】
【０００２】当該タンクからの流体の漏れ防止技術は、建築物の周囲を支える個体の壁に弾性体を圧着させて、容器内の弾性体で外壁に接触させて、容器内の流通を阻止してタンクからの流体の漏れを防止する密閉技術で、建築物の各階層の板又は壁で囲まれる弾性体の容積が狭い空間に追い込まれて、弾性体の弾性限界を超えて弾性体の容積が周囲の個体に圧縮されてへたることによって、外圧に隙間を狭められた空間埋められないように十分に固い硬度を持つ材質の座面や側面の高硬度で強い反発力を惹起させて、弾性体の弾性限界内で変形させて、各階層の板の継ぎ目やネジの溝や隙間を埋めて、側面の壁を二重にして、外壁の内壁と内壁の外壁に挟まれた空間に弾性体を嵌め込んでタンクからの流体の漏れを防止する流体の漏れ防止技術です。
【図面の簡単な説明】
【０００３】
【図１】タンクからの流体の漏れを防止する技術のメカニズムの断面図の一例
【符号の説明】
【０００４】１．タンク        ２．ボールト        ３．外壁        ４．上部の板
５．下部の板      ６．弾性体          ７．内側に二重に設置した壁
８．ネジ          ９．アール又はテーパー部        １０．ナット
【発明の詳細な説明】
【０００６】  当該タンク（１）からの流体の漏れ防止の技術は、外壁（３）及び内部の二重壁（７）と上部の板（４）と下部の板（５）に囲まれた空間に弾性体（６）を隙間のないように嵌め込んで、外壁（３）又は、内部の二重壁（７）と上部の板（４）及び下部の板（５）と弾性体（６）に連結した縦のネジ（８）穴を開けてネジ（８）を通してボールト（２）及びナット（１０）を締結して弾性体（５）を圧縮し、弾性体（５）の端にアール又はテーパー部（９）を逃げ場として予め用意して、外圧が過剰に作用しても、弾性限界内で弾性が変形して圧力を吸収して弾性体（５）を防御し、タンク（１）内の隙間や空間を流体の流通経路を弾性体で塞ぎ、流体のタンク（１）からの漏れを防止する流体の漏れ防止技術です。
【図１】
2015078016.tif 000002
(57)【要約】【課題】LEDを光源に用いた信号機などは、レンズに着雪が生じる問題が生じた。【解決手段】着雪を溶かす温度に上昇するに十分な熱容量の小さいLEDを設置した1つの独立した小ヒートシンク部を構成する。【選択図】図3
2015078558.tif 000002
【特許請求の範囲】
【請求項１】
LEDを光源とする信号機において、前記LEDの一部を前記LEDの熱量にて着雪を防ぐに十分な温度上昇させる熱容量の独立した前記信号機灯器のレンズに密着した小ヒートシンク部を構成することにより密着部温度を上昇させ、前記レンズの着雪を防止する構造を備えた信号機。
【発明の詳細な説明】
【技術分野】
【０００１】
本発明は、LEDを使用した、信号機及び交通信号機などにおいての灯光部透明保護カバー(以降レンズと呼ぶ)及び表示部の着雪を防止するための構造である。
【背景技術】
【０００２】
従来の歩道信号機及び交通信号機などの信号機においては、白熱電球やハロゲンランプ等の、高熱を発生する光源を用いていたが、電力消費量の大きさからコスト削減のため電力消費量の少ないLEDを使用しているが、LEDは白熱電球やハロゲンランプ等に比べて、発熱量が低いため、歩道信号機の表示部及び交通信号機のレンズに着雪が生じる問題が生じた。
【発明の概要】
【発明が解決しようとする課題】
【０００３】
本発明は、LEDを用いた信号機のレンズ及び表示部における着雪を防止する構造である。
【課題を解決するための手段】
【０００４】
LEDからの熱を放熱するヒートシンク部の一部を、着雪を溶かす温度に上昇するに十分な熱容量の、1つの独立した小ヒートシンク部として構成し、前記小ヒートシンク部に設置したLEDから発生する熱を前記小ヒートシンク部に密着した灯器のレンズに熱を伝導、拡散させることによりレンズの雪着を防ぐ。
【発明の効果】
【０００５】
小ヒートシンク部からの熱によりレンズの着雪を防ぐことができる。
【図面の簡単な説明】
【０００６】
【図１】従来の信号機図(1a) 従来の信号機灯器部正面図図(2a) 従来の信号機灯器部右側面図
【図２】図(1b) 従来の信号機灯器部正面図図(2b) 従来の信号機灯器部右側面断面図図(3b) 従来の信号機灯器部正面図のレンズを外した図
【図３】図(1c) 本発明の信号機灯器部正面図図(2c) 本発明の信号機灯器部右側面断面図図(3c) 本発明の信号機灯器部正面図のレンズを外した図
【図４】本発明による信号灯器の組み立て斜視図
【図５】図(1d) 本発明の信号機灯器部正面図レンズの熱伝導拡散図図(2d) 本発明の信号機灯器部右側面断面図小ヒートシンク部からレンズへの熱伝導拡散図
【発明を実施するための形態】
【０００７】
以下、本発明の実施の形態を、図を使用して説明する。
図1における図(1a)は,従来のLEDを光源とする、交通信号機の赤.青、黄3つの灯器の、内の１つの正面図であり図(2a)は、その側面である。
図2における図(1b)は、従来のLEDを光源とする信号機灯器の一例で、フードを省いた灯器の正面図であり、レンズは筐体の一部でLEDの熱を放熱するヒートシンク部に嵌め込まれている。図(2b)は、前図(1b)の右側面断面図（筐体内部の電気部品の図は省く）であり、前記レンズと前記レンズを嵌め込む、前記LEDからの熱を放熱するヒートシンクの役割をなす灯器の筐体の一部を構成する、ヒートシンク部で構成されている。
信号機の、1灯器あたりのLEDの電気消費電力は15W程度であり、灯器点灯時において、灯器の筐体の一部を構成するヒートシンク部に設置された設置された全LEDからの熱で前記ヒートシンク部の温度を着雪を防ぐ温度に上昇させるには、前記ヒートシンク部と筐体の熱容量の点から困難であるので、前記ヒートシンク部からの熱伝導、拡散にてその熱をさらに着雪を防ぐような高温度に前記レンズ全体の温度を上昇させるには通常の交通信号機用レンズ（直径25ｃｍ程度）の大きさ及び材料（ガラス、アクリル等）の点からも困難であった。
図(3b)は、前図(1b)における灯器のレンズを取り払った正面図であり１６個のLEDがヒートシンク部に設置されている。
図3は、本発明による信号機灯器を示している。図(1c)は、本発明による信号機灯器正面図である。図(2c)は、前図(1c)の右側面断面図（筐体内部の電気部品の図は省く）であり、ヒートシンク部に設置された他のLEDより消費電力が大きい５個のLEDを配置した小ヒートシンク部（2）は少量の熱量においても瞬時に、小ヒートシンク部（2）全体の温度及び前記小ヒートシンク部（2）とレンズ接触部の温度を上昇でさせる熱容量で、前記小ヒートシンク部（2）はレンズと直接接触するように構成してあるので、レンズとの接触部分及びその周辺の着雪を防ぐことができる。
大雪などの場合は、センサ-（図示しない）などにて外気温度を感知して、小ヒートシンク部（1）に設置したLEDの輝度を上げることによりLED熱量を増加させ着雪を防ぐことができる。また、夏場の外気温度が高い場合は、小ヒートシンク部（1）に設置したLEDの輝度を下げLEDの温度を下げることにより、高温によるLEDの劣化を防ぐ。
交通信号表示等の場合は、矢印等の表示の形状に合わせた小ヒートシンク部（2）を作成できる。
前記小ヒートシンク部（2）は接続部（3）にて本ヒートシンク部（1）に固定されている。
図4は、本発明による信号用灯器の部品ごとの組み立て斜視図である
図5は、図(1d)は本発明による信号用灯器の正面図における、レンズにおける熱の伝導拡散図を矢印で示してあり、図(2d)は、前記図(1d)の右側面断面図であり、小ヒートシンク部（2）からレンズへの熱の伝導拡散を矢印で示したものである。
【産業上の利用可能性】
【０００８】
本発明は、信号機の着雪防止として利用できる
【符号の説明】
【０００９】
1.   
本発明によるLEDを光源とする信号用灯器の本ヒートシンク部
2.   
本発明による小ヒートシンク部。
3.
接続部
【図１】
2015078558.tif 000003
【図２】
2015078558.tif 000004
【図３】
2015078558.tif 000005
【図４】
2015078558.tif 000006
【図５】
2015078558.tif 000007
(57)【要約】【課題】本発明は、鉄道レールのレール幅保持に関する技術を提供する。【解決手段】機械切込加工およびタップ孔加工を施した、レール幅保持基台の上に、レール固定体を設ける。またレール固定体の一端には焼結金属パッドを設ける。さらに固定ボルトでレール固定体とレール幅保持基台を固定して設ける。実施はこれらを軌道現場に運び、レール固定体にレールを装着して、レールをレール幅保持基台に確実に装着固定する。【選択図】図２
2015078587.tif 000002
【特許請求の範囲】
【請求項１】
機械切込加工およびタップ孔加工を施した、レール幅保持基台（１）の上に、レール（２）の下端部（３）に合わせた、同じく機械切込加工およびタップ孔加工を施した、レール固定体（４）を設け、さらにこのレール固定体（４）に、焼結金属パッド（８）を設ける、そしてさらに固定ボルト（５）をタップ孔（６）からネジ締めていき、レール固定体（４）を貫通させて、レール幅保持基体（１）のタップ孔（６）にまでネジ締めて、基準レール幅（７）に設定されたレール（２）を固定装着するための、レール固定体（４）をレール幅保持基台（１）に固定裝着してなる、レールホルダーである。
【発明の詳細な説明】
【技術分野】
【０００１】  本発明は、枕木等で敷設されたレールが、衝撃および熱による収縮膨張の影響で、レール幅が変化し、通過する列車が脱線する大事故が発生している。そのレール幅の変化を防止する安全技術に関するものである。
【背景技術】
【０００２】  従来は、並行する２本のレールを枕木に犬釘でもって固定し、敷設している。
【発明が解決しようとする課題】
【０００３】  つまり現状では、時間経過と共にレール幅は収縮膨張および衝撃振動の繰り返しにより、犬釘等の弛みが生じ、レール幅が変化する危険な状況になる。この為に定期点検の労力や費用を増やす事になる。また近年はコンクリート製の枕木が主流になってきており、犬釘の替わりにレールをボルトで固定するようになってるが、これも従来に比較して、敷設コストが高額になり苦慮する。
これらの問題点を改善し、今までにない有効な本発明がなされたのである。
【課題を解決するための手段】
【０００４】  本発明は出来る限りの簡単構成で形成されている。以下解決手段を説明する。
まず旋盤等の機械で切込加工と、タップ孔（６）のネジ加工を施した、レール幅保持基台（１）を用意して、これに合わせて、左右のレール（２）を該基台の上に固定する為のレール固定体（４）を装着する。この該固定体も予めレール下端部（３）にぴったり合わせるように、機械での切込加工とタップ孔（６）のネジ加工を施してある。さらに該固定体のレール取付側の当り面に、焼結金属パッド（８）を固定装着して緩衝および滑り止めとして設ける。そして最後に固定ボルト（５）を、ネジ締めて軌道現場に於いて、レール（２）を完全に固定装着出来るように設ける。この装着した構成は、図１、図２のごとくレール固定体（４）は、レール下端部（３）に左右の２個で、固定ボルト（５）も２本で、共に固定される。つまりレール（２）をレール幅保持基台（１）に２本装着するので、これらはレール固定体（４）は合計４個、固定ボルト（５）も合計４個で組付けられている。そしてこのレール（２）の装着状態は基準レール幅（７）で固定されている。なお、これらの材質としては、ステンレス鋼が適している。
本発明は以上のような特徴よりなる、レールホルダーである。
【発明の効果】
【０００５】  本発明は枕木と枕木の間の適当なる距離を保って、レールに装着する。これによりレールに加わる衝撃や熱歪による枕木の緩み等を押さえてくれるので、レール幅を一定に保ち、列車等の脱線事故を防ぎ、安全運行に大きく寄与する。
【発明を実施するための最良の形態】
【０００６】  まず旋盤等の機械で切込加工およびタップ孔（６）のネジ加工を施した、レール幅保持基台（１）を形成する。さらに、左右のレール（２）をこの該基台の上に固定させるレール固定体（４）を装着する。このレール固定体（４）も、予めレール下端部（３）にぴったり合わせるように、機械での切込加工およびタップ孔（６）のネジ加工を施してある。さらにこの該固定体のレール固定側の当り端部に、焼結金属パッド（８）を設け、レール（２）から伝わる衝撃等を緩和して、レール保持力を高める。次に固定ボルト（５）を装着する。そしてレール（２）は軌道現場にて、レール幅保持基台（１）に合わせて乗せて、これにレール固定体（４）を固定ボルト（５）と共に装着する。この装着した構成は、図１、図２のごとくレール固定体（４）は、レール下端部（３）に、左右の２個で、固定ボルト（５）も２本で、共に固定される。つまりレール（２）を、レール幅保持基台（１）に２本装着するので、これらはレール固定体（４）は合計４個、固定ボルト（５）も合計４個で組付けられている。そしてこのレール（２）の装着状態は基準レール幅（７）で固定されている。なお、これらの材質としては、ステンレス鋼等が適している。
本発明は以上のような構成であり、これを使用実施するときには、【０００７】    軌道現場にて、枕木と枕木の間に、数メートル間隔でレール幅保持基台（１）を並べて、この上に平行２本のレール（２）を乗せる。つぎにレール固定体（４）をレールの下端部（３）に装着して、固定ボルト（５）にてレール幅保持基台（１）に確実に固定する。これで、レール（２）は基準レール幅（７）を保持した状態に、敷設される。
【図面の簡単な説明】
【０００８】
【図１】  本発明の説明斜視図である。
【図２】  本発明の施工断面図である。
【符号の説明】
【０００９】１  レール幅保持基台
２  レール
３  下端部
４  レール固定体
５  固定ボルト
６  タップ孔
７  基準レール幅
８  焼結金属パッド
【図１】
2015078587.tif 000003
【図２】
2015078587.tif 000004
(57)【要約】【課題】マスキングテープの貼り方について手の指先で押し当てて施工してきた。手の指先に力が入り指先も疲れて作業効率も良くない。【解決手段】図のようなローラー羽根によって凹凸面も楽にあてることが出来た。作業効率が良い。スピードアップを図ることが出来た。（ローラーのメンテナンス）    ローラーの羽根の交換によって再利用が可能になる。【選択図】図２
2015078585.tif 000002
【特許請求の範囲】
【発明の詳細な説明】
【技術分野】
【０００１】この発明は塗装工事の際にマスキングテープ押えとして活用するものである。
【背景技術】
【０００２】従来は手作業あるいは指作業であったが、ローラーによって速やかに作業能率の向上を図ることが出来た。
【先行技術文献】
【０００３】知的所有権協会による登録番号の認定
登録  第２５９８９４号
登録  第２５９８９５号
登録  第２５９９４５号
【発明の概要】
【発明が解決しようとする課題】
【０００４】別紙図の通り  １図、２図、３図（写真）
写真で分かるように凹凸のある外装材のシーリング工事の際マスキングテープを貼り付けるとき、すべて手作業にて指先で押し当てていた。
【発明の効果】
【０００６】今までは相当な時間を要したが、ＳＴＣローラーを使用することによって速やかにマスキングテープを凹凸面に貼り付けることが出来た。
2015078585.tif 000003
2015078585.tif 000004
2015078585.tif 000005
【手続補正書】
【提出日】平成26年1月14日(2014.1.14)
【手続補正１】
【補正対象書類名】明細書
【補正対象項目名】全文
【補正方法】変更
【補正の内容】
【発明の詳細な説明】
【技術分野】
【０００１】この発明は塗装工事の際にマスキングテープ押えとして活用するものである
【背景技術】
【０００２】従来は手作業あるいは指作業であったが、ローラーによって速やかに作業能率の向上を図ることが出来た。
【先行技術文献】
【０００３】日米コピーライトオフィスによる登録番号の認定
▲１▼２５−６−１９  認定    第２５９８９５号
▲２▼２５−７−０３  認定    第２５９９４５号
▲３▼２５−１１−２７認定    第２６０３０８号
【発明の概要】
【０００４】添付図と写真  ▲１▼、▲２▼、▲３▼
写真で分かるように凹凸のある外装材のシーリング工事の際マスキングテープを貼り付けるとき、すべて手作業にて指先で押し当てていた。相当な時間を要したが、ＳＴＣローラーを使用することによって速やかにマスキングテープを凹凸面に貼り付けることが出来た。
【図面の簡単な説明】
【０００５】
【図１】  ▲１▼マスキングテープ押えを表す  正面図と側面図である
【図２】  ▲２▼マスキングテープ押えを表す  正面図と側面図である
【図３】  ▲３▼マスキングテープ押えを表す  正面図と側面図である
【０００６】図▲１▼、図▲２▼、図▲３▼の共通仕様書
2015078585.tif 000006
【手続補正２】
【補正対象書類名】特許請求の範囲
【補正対象項目名】全文
【補正方法】変更
【補正の内容】
【特許請求の範囲】
【請求項１】
図▲１▼Ｈ２５−６−１９認定第２５９８９５号について
マスキングテープ押え  ＳＴＣローラー
この発明は塗装工事の際のマスキングテープ押さえとして活用するもの。
従来は手作業あるいは指作業であったがローラーによって速やかに作業能率の向上を図ることが出来た。
写真と設計図で分かるように凹凸のある外装材のシーリング工事の際、マスキングテープを貼る時すべて手作業で指先で押し当てていた。相当な時間を要したが、ＳＴＣローラーを使用することによって、速やかにマスキングテープを凹凸面に貼りつけることが出来た。
【請求項２】
図▲２▼Ｈ２５−７−０３認定第２５９９４５号について
マスキングテープ押え  ＳＴＣローラー
この発明は塗装工事の際のマスキングテープ押さえとして活用するもの。
従来は手作業あるいは指作業であったがローラーによって速やかに作業能率の向上を図ることが出来た。
写真と設計図で分かるように凹凸のある外装材のシーリング工事の際、マスキングテープを貼る時すべて手作業で指先で押し当てていた。相当な時間を要したが、ＳＴＣローラーを使用することによって、速やかにマスキングテープを凹凸面に貼りつけることが出来た。
【請求項３】
図▲１▼Ｈ２５−１１−２７認定第２６０３０８号について
マスキングテープ押え  ＳＴＣローラー
この発明は塗装工事の際のマスキングテープ押さえとして活用するもの。
従来は手作業あるいは指作業であったがローラーによって速やかに作業能率の向上を図ることが出来た。
写真と設計図で分かるように凹凸のある外装材のシーリング工事の際、マスキングテープを貼る時すべて手作業で指先で押し当てていた。相当な時間を要したが、ＳＴＣローラーを使用することによって、速やかにマスキングテープを凹凸面に貼りつけることが出来た。
【手続補正３】
【補正対象書類名】図面
【補正対象項目名】全図
【補正方法】変更
【補正の内容】
【図１】
2015078585.tif 000007
【図２】
2015078585.tif 000008
【図３】
2015078585.tif 000009
(57)【要約】【課題】従来の引戸用ハンドルは図４参考図のように細いハンドル部で構成されており濡れた手などで操作する時に、握力の弱い高齢者の方が扱いにくいという問題がある。【解決手段】本発明は、引手としてドアに取付けて高齢者の方でも簡単に引戸の開閉操作ができ、化粧材を交換する事でドアの引手位置が明確に識別できる。化粧材を表示物にしたり、インテリアに合った物にしたり、異素材などで化粧する事もできデザイン性に優れた引手を提供せんとするものである。【選択図】図１
2015078586.tif 000002
【特許請求の範囲】
【請求項１】
引戸に取付ける取手であって、引手の正面から見て左右の側面に高さが違う面を形成してその凹んだ部分の立ち上がり部に溝状の部位を形成して引手の背面から、板状の物を挿入する事ができる形状を片面又は、両面に持った事を特徴とする引手。
【発明の詳細な説明】
【産業上の利用分野】
【０００１】本発明は、引戸に取付ける引手の表示や化粧パネルを簡単に交換できる引手である。
【背景技術】
【０００２】引手は通常、金属の脚部材と木部のハンドル部材からなる物や掘り込みに取付ける引手等がある。
【課題を解決するための手段】
【０００３】本発明は、手に十分な保持力が無く引戸を可動方向に押したり反対側から可動方向に引く事で引戸を開いたり、閉じたりする動作でハンドル形状の物は操作面が小さく、又円柱状で操作する時に濡れた手の場合に滑ることがある、また掘り込み式の引手は押し引きの操作で指先しか当てられない。本発明の引手は操作面が十分確保されて操作面の一部を凹む様に高さを変えることで滑り止め効果がある。
【発明の効果】
【０００４】本発明により、引手に段差を付けてそこに化粧パネル等を挿入して色や柄、表示などの変更ができるのでお年寄りなどがドアの色と引手の色が明確に区別できる用にする事で引手を識別しやすく操作できる。
【発明を実施するための最良の形態】
【０００５】本発明は、引手として厚さ方向から見て側面に当る部位に段差を両側面又は片側面に設けて、段差の立ち上がり面に溝状の部位を形成して引手の背面から板状の表示物や化粧材を挿入する。挿入した引手をドアに取付けてしまうと化粧材は完全に封鎖されて外れない。引手を外して化粧部を交換する事もできメンテナンス上も容易に交換できる。
【実施例】
【０００６】図面は本発明の一実施例を示したもので、図１は本発明の化粧材を挿入する前を表した斜視図、図２は正面から見て右側面図を示す。図３は右側面図に示した断面位置ＡＡの矢視断面位置図を示す。図中１は本体部を示し、２は右側段差の底部を示し、３は板状の化粧材を示し、４は溝形状を示し、５は左側面の底部を示す。
【産業上の利用可能性】
【０００７】本発明は、引戸の両面または片面に引手として取付ける。
【図面の簡単な説明】
【０００８】
【図１】本発明による引手の化粧材を挿入する前の斜視図
【図２】正面から見て右側面図
【図３】右側面図に示したＡＡ断面図
【図４】従来品の参考斜視図
【符号の説明】
【０００９】１        引手本体
２        右側の段差部
３        化粧材
４        段差部の立上がり部の溝
５        左側の段差部
【図１】
2015078586.tif 000003
【図２】
2015078586.tif 000004
【図３】
2015078586.tif 000005
【図４】
2015078586.tif 000006
(57)【要約】      （修正有）【課題】家の建築にハンマとクギを使い行って居た。音が高く風雨にも弱い弱点が有りましたが、その課題を軽減できる締結部材を提供する。【解決手段】木材にドリルで固定する事にしますと、音も静かで風などに対しクギではり付けた建築物に比べてかなり持ちが良く成ります。ドリルに固定する時にマグネット方式とＴ字型の為に確実にドリルの先に取り付けられ、付けてからドリルを回わします。そうすると短時間で音も静か、木材に確実にすえ付けて固定出来ます。【選択図】図１
2015078761.tif 000002
【特許請求の範囲】
【請求項１】
日本国中
マグネット式Ｔ型ネジは、建築物の木材用や日曜大工用品だけで無くその他の用品に取り扱われ、日本の経済産業に無くては成らないヒット商品に成ります。
得にうす暗い所では、マグネットを採用する事により仕事が可能になります。
【発明の詳細な説明】
【技術分野】
【０００１】建築物の木材にクギに変わる物が無いかと考えて居た時にマグネット式Ｔ型ネジを思い付きアイデア商品として考案しました。
【背景技術】
【０００２】
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】建築物が風雨により災害にひがいに合わない様な工風が必要です。
そうするためには、ただクギを打つのではなくクギプラスネジを使用する事が大切です。
【課題を解決するための手段】
【０００６】木材などに打ち込んだクギがハズレない様にガッチリ固定する事が大切です。
【発明の効果】
【０００７】台風などの災害から建築物がかなり守れる事は確実です。
【図面の簡単な説明】
【０００８】
【図１】平面図
【図２】側面図
【発明を実施するための形態】
【０００９】ネジにマグネット磁石を使用、Ｔ型のネジで確実に固定し、ドリルで打つ事が出来ます。
【実施例】
【０００１０】家の建築物、日曜大工用品などに特に威力を発揮できます。
【産業上の利用可能性】
【０００１１】建築物の耐震性が増し、持ちも良くなり、スピーディに時間の短縮出来ます。
【符号の説明】
【０００１２】［図１］平面図  ［図２］側面図  マグネット式Ｔ型ドリル用ネジ
【受託番号】
【・・・・】
【図１】
2015078761.tif 000003
【図２】
2015078761.tif 000004
【手続補正書】
【提出日】平成26年10月23日(2014.10.23)
【手続補正１】
【補正対象書類名】明細書
【補正対象項目名】全文
【補正方法】変更
【補正の内容】
【発明の詳細な説明】
【技術分野】
【０００１】この発明は、マグネットを使用するＴ型ネジに関するものである。
【背景技術】
【０００２】従来、Ｔ型とマグネットとは別々になっていた。
【先行技術文献】
【特許文献】
【０００３】
【特許文献１】
【発明の概要】
【発明が解決しようとするための課題】
【０００４】これは、次のような欠点があった。
Ｔ型ネジを使用するにも、すぐ外れて地面に落下してしまいました。
それに取り扱いができにくいというこがありました。
本発明は、以上のような欠点をなくすためのものである。
【課題を解決するための手段】
【０００５】Ｔ型ネジにマグネット式を導入しました。Ｔ型ネジに２つの丸く黒い、くぼみを設けました。
本発明は以上のようなことによりマグネット式ドリル用ネジである。
【発明の効果】
【０００６】片手でＴ型ネジをマグネットに固定してドリルをまわして木材に打ち込みますとスピーデイで簡単、静かに手作業をおこなうことができます。
このマグネット式Ｔ型ドリル用ネジを取り扱うのに少しも違和感はありません。
【図面の簡単な説明】
【０００７】
【図１】本発明の平面図である。
【図２】本発明の側面図である。
【発明を実施するための形態】
【０００８】以下、本発明を実施するための形態について説明する。
Ｔ型ネジに２つの丸く黒い、くぼみがあり、ネジを固定するにはとてもよいネジであります。
本発明は以上のような構造である。
マグネット式でありますから一度固定しますとはずれて地面に落下ということは一向にありません。安心をして確実に、しかもスピーデイに静かに行うことができます。
【産業上の利用可能性】
【０００９】これは、大変取り扱いが簡単で、しかも、迅速且つ合理的に行うことができます。
釘のような状態ではなくて、強風にも耐え抜きます。音の静かな状態で建築物の工事を行うことができる。
【符号の説明】
【０００１０】［図１］平面図
［図２］側面図【０００１０】Ｔ型ボルトネジに関しては大変優れたものであります。落下することなくフリーハンドでゆうっくりとネジを締めるだけでいいのです。【０００１１】ドリル式のネジであるので音も静かその上、迅速、正確に行えます。
うすぐらい時などにマグネットであり、手作業のミスも非常に少なくて済みます。【０００１２】物理学的に、高強度非磁性ボルトを使用しているので引っ張り、圧縮力に大変優れています。強度の面に於いて力学的に優れた素材を使用します。【０００１３】このボルトは正確性、迅速性、耐久力性、合理的に行えるボルトでありネジであります。
これに勝るものは到底ありえないのであります。【０００１４】ボルトの素材としては、オーステナイト系ステンレス鋼を使用するために大変軽量化がはかられ、取り扱いに違和感があり得なく耐久性にすぐれています。
(57)【要約】【課題】他のネジとは異なり２つの固定のネジが出来ました。【解決手段】同時のネジを固定出来た事によりスピーデイに効用を果たす事が可能に成りました。【選択図】図１  正面図図２  平面図（ボルト）
2015078762.tif 000002
【特許請求の範囲】
【請求項１】
日本中  他のネジとは異なり幅広く性能を維持する事が可能に成りました。
【発明の詳細な説明】
【技術分野】
【０００１】どうしたら２つ以上のネジの固定が出来るかと考えた後にＢ型ネジ固定器が出来ました。
【背景技術】
【０００２】２つ以上のネジ器を作るにはアルファベットのＢを思い付き、ヒット商品にしました。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】ひとつで出来ない事を２つでやりとげてひと一倍以上の効用を保ち、あらゆる工業分野に役に立ちたい。
【課題を解決するための手段】
【０００６】ボルトでボウを押し固定させてより良い効用・効能が果せる。
【発明の効果】
【０００７】このネジひとつで複数の効用を果たす事が必要不可欠に可能性をひめて居る。
【図面の簡単な説明】
【０００８】
【図１】正面図
【図２】平面図（ボルト）
【発明を実施するための形態】
【０００９】複数の負荷をこれひとつで行なえることがすばらしい。
【実施例】
【０００１０】工業部門、社会的な業務、家庭的なネジ固定器として無くては成らない商品で有る。
【産業上の利用可能性】
【０００１１】
2015078762.tif 000003
【符号の説明】
【０００１２】〔図１〕正面図  〔図２〕平面図（ボルト）
【受託番号】
【・・・・】
【図１】
2015078762.tif 000004
【図２】
2015078762.tif 000005
【手続補正書】
【提出日】平成26年10月17日(2014.10.17)
【手続補正１】
【補正対象書類名】明細書
【補正対象項目名】全文
【補正方法】変更
【補正の内容】
【発明の詳細な説明】
【技術分野】
【０００１】この発明は、Ｂ型ネジに長いバーを設けることにより優れたボルトである。
【背景技術】
【０００２】従来、Ｂ型ネジと長いバーは別々になっていた。
【先行技術文献】
【０００３】
【特許文献１】
【発明の概要】
【０００４】これは、次のような欠点があった。
従来、ネジの山が磨り減り使えなくなる。又不具合がいろいろと出てくるので困ることが多かった。
本発明は以上のような欠点をなくすためになされたものである。
【課題を解決するための手段】
【０００５】二つのネジの固定が必要になったとき、これに長いバーを上下に移動させてから、ボルトをフリーハンドでまわしネジを固定します。そうしたなら、スパナーで閉めつけて行ここで終了です。
本発明は、以上の構成よりなるＢ型固定ネジ器である。
【発明の効果】
【０００６】ネジ器が長いバーといったいになっているので、ネジの固定が必要になったときでも、二つのボルトを固定できムダが省ける。ボルトとバーをうまく調整してボルトをしめるのになんらさしつかえない。
【図面の簡単な説明】
【０００７】
【図１】本発明の正面図である。
【図２】本発明の平面図である。
【発明を実施するための形態】
【０００８】以下、本発明を実施するための形態について説明する。
ネジ器のボルトを上へ移動バーを調整しネジの固定を終えて元の位置にボルトを下げて移動します。
本発明は以上のような構造である。最初のうちは、ボルトと長いバーの使用にコツをつかむと言うことが何よりも大事である。そうして、迅速に合理的になります。
【産業上の利用可能性】
【０００９】工業界のより発展になくてはならないヒット商品になり、経済産業に骨太の底  力となりえます。
産業基盤の確立こさが大切である。
【符号の説明】
【０００１０】［図１］正面図
［図２］平面図【０００１１】物理学的にも効能がよく普通のネジの仕事は倍になりしかも、合理的である。
一方的な力を加えずにバランスの均衡性のある、取り扱いこそが理想的な効能、効用に繋がります。【０００１２】ボルトとナットの使用にフリーハンドで行い確実に閉めるには工具で硬く締めます。
長いバーと負荷に対するボルトの固定が力学的、合理性あります。【０００１３】物理学的に支点、作用点、バランスの均しい事がポイントとなります。
ボルトの締め付け、固定によりバーの長さが天秤棒のようにムダがありません。【０００１４】素材の良いステンレス製にしますと、錆びがなく、軽量化がはかられます。
物理学的、力学的な面に於いて、大変性能のよく、持ち運びに手軽に出切るのである。